(57)【要約】    【課題】  光ディスクから正確にデータを再生することができる光ディスク再生装置を提供すること。    【解決手段】  本発明では、光ディスクから読出した一定周期の同期信号が含まれた記録信号を復調回路で所定形式のデータに復調し、この復調したデータに対してエラー訂正回路でエラー訂正を施すように構成した光ディスク再生装置において、前記エラー訂正回路は、前記同期信号の検出結果に基づいて生成したイレージャフラグを用いてイレージャ訂正を行うように構成した。特に、前記記録信号から前記同期信号が検出されない場合や前記同期信号の周期がずれている場合に前記イレージャフラグを生成することにした。【選択図】      図１
2005285181.tif 000002
【特許請求の範囲】
【請求項１】
一定周期の同期信号が含まれた記録信号を記録媒体から読出し、この記録信号を所定形式のデータに復調し、その後、このデータに対してエラー訂正を施す再生方法において、
前記エラー訂正は、前記同期信号の検出結果に基づいて生成したイレージャフラグを用いてイレージャ訂正を行うことを特徴とする再生方法。
【請求項２】
前記記録信号から前記同期信号が検出されない場合に前記イレージャフラグを生成することを特徴とする請求項１に記載の再生方法。
【請求項３】
前記同期信号の周期がずれている場合に前記イレージャフラグを生成することを特徴とする請求項１又は請求項２に記載の再生方法。
【請求項４】
記録媒体から読出した一定周期の同期信号が含まれる記録信号を所定形式のデータに復調する復調回路と、この復調回路で復調したデータに対してエラー訂正を施すエラー訂正回路とを有する再生回路において、
前記エラー訂正回路は、前記同期信号の検出結果に基づいて生成したイレージャフラグを用いてイレージャ訂正を行うように構成したことを特徴とする再生回路。
【請求項５】
光ディスクから読出した一定周期の同期信号が含まれた記録信号を復調回路で所定形式のデータに復調し、この復調したデータに対してエラー訂正回路でエラー訂正を施すように構成した光ディスク再生装置において、
前記エラー訂正回路は、前記同期信号の検出結果に基づいて生成したイレージャフラグを用いてイレージャ訂正を行うように構成したことを特徴とする光ディスク再生装置。
【発明の詳細な説明】
【技術分野】
【０００１】
本発明は、記録媒体から読出した一定周期の同期信号が含まれる記録信号を所定形式のデータに復調した後に、このデータに対してエラー訂正を施す再生方法及び再生回路並びにこの再生回路を有する光ディスク再生装置に関するものである。
【背景技術】
【０００２】
近年、画像や音声などの多量なデータを記憶する媒体として光ディスクが利用されており、その中でもＤＶＤ（Digital Versatile Disc）が広く普及してきている。
【０００３】
このＤＶＤには、通常のデータを記録する領域のほかに、個々の記録媒体を識別するためのデータを記録するＢＣＡ（Burst Cutting Area）と呼ばれる領域がセンターホールの周辺に形成されており、このＢＣＡには、ＰＥ変調（Phase Encoding変調）されたデータをＲＺ（Return to Zero）方式で符号化したバーコードデータが記録されている。
【０００４】
このＢＣＡのバーコードデータは、光ディスク再生装置に内蔵した再生回路を用いてデータビット（Data bit）形式のＢＣＡデータに変換される。
【０００５】
そして、バーコードデータには、一定周期で同期信号が含まれており、この同期信号を基準にしてその後のデータ信号を復調するようにしている。また、バーコードデータには、所定位置にエラー訂正符号としてリードソロモン符号が挿入されており、このエラー訂正符号を利用して再生時にエラー訂正を行えるようにしている。
【０００６】
具体的に説明すると、図６に示すように、再生回路101では、光ピックアップ装置でＢＣＡに記録されたバーコードデータを円周方向に向けて走査することによってパルス状のＲＺ信号に変換した後に、このＲＺ信号をRZ−Channel bit復調回路102でチャンネルビット（Channel bit）形式のＣＢデータに復調し、このＣＢデータから同期検出回路103を用いて所定周期の同期信号を検出し、この同期検出回路103で同期信号が検出されなかった場合にのみ保護回路104で所定周期の同期信号をＣＢデータに挿入し、その後、ＣＢデータをChannel bit−Data bit復調回路105でデータビット形式のＤＢデータに復調し、このＤＢデータに含まれるエラー訂正符号を利用してエラー訂正回路106を用いてエラー訂正を施すことによってＢＣＡデータを生成している。
【特許文献１】特開２００２−１９７６６５号公報
【発明の開示】
【発明が解決しようとする課題】
【０００７】
ところが、リードソロモン符号を用いたエラー訂正では、最大でも挿入したリードソロモン符号の個数の半分までのエラーしか訂正することができないことから、従来の光ディスク再生装置では、光ディスクから読出したデータに含まれるエラーの個数がエラー訂正可能な個数を超えている場合に、光ディスクに記録された記録信号を正確に再生することができなくなるおそれがあった。
【０００８】
特に、一定周期で同期信号が含まれている記録信号では、同期信号を基準にしてその後のデータ信号を復調していくことになるために、記録信号から同期信号を検出できない場合や同期信号が検出できてもその周期がずれている場合には、エラーの個数が増大してしまい、同期信号に続くデータ信号を再生することができなくなるおそれがあった。
【課題を解決するための手段】
【０００９】
そこで、請求項１に係る本発明では、一定周期の同期信号が含まれた記録信号を記録媒体から読出し、この記録信号を所定形式のデータに復調し、その後、このデータに対してエラー訂正を施す再生方法において、前記エラー訂正は、前記同期信号の検出結果に基づいて生成したイレージャフラグを用いてイレージャ訂正を行うことにした。
【００１０】
また、請求項２に係る本発明では、前記請求項１に係る本発明において、前記記録信号から前記同期信号が検出されない場合に前記イレージャフラグを生成することにした。
【００１１】
また、請求項３に係る本発明では、前記請求項１又は請求項２に係る本発明において、前記同期信号の周期がずれている場合に前記イレージャフラグを生成することにした。
【００１２】
また、請求項４に係る本発明では、記録媒体から読出した一定周期の同期信号が含まれる記録信号を所定形式のデータに復調する復調回路と、この復調回路で復調したデータに対してエラー訂正を施すエラー訂正回路とを有する再生回路において、前記エラー訂正回路は、前記同期信号の検出結果に基づいて生成したイレージャフラグを用いてイレージャ訂正を行うように構成することにした。
【００１３】
また、請求項５に係る本発明では、光ディスクから読出した一定周期の同期信号が含まれた記録信号を復調回路で所定形式のデータに復調し、この復調したデータに対してエラー訂正回路でエラー訂正を施すように構成した光ディスク再生装置において、前記エラー訂正回路は、前記同期信号の検出結果に基づいて生成したイレージャフラグを用いてイレージャ訂正を行うように構成することにした。
【発明の効果】
【００１４】
そして、本発明では、以下に記載する効果を奏する。
【００１５】
すなわち、本発明では、記録信号に一定周期で含まれる同期信号の検出結果に基づいてイレージャフラグを生成し、このイレージャフラグを用いてイレージャ訂正を行っているため、エラー訂正可能なデータの個数を増大することができ、記録媒体から記録信号を正確に再生することができる。
【００１６】
特に、同期信号の検出結果に基づいてイレージャフラグを生成しているために、一定周期の同期信号に続くデータに含まれるエラーを訂正することができ、データを正確に再生することができる。
【００１７】
また、本発明では、記録信号から同期信号が検出されない場合や同期信号の周期がずれている場合にイレージャフラグを生成することにしているため、エラーが含まれている可能性の高い領域を集中的にエラー訂正することができ、記録媒体から記録信号をより一層正確に再生することができる。
【発明を実施するための最良の形態】
【００１８】
本発明に係る光ディスク再生装置は、たとえば、ＤＶＤのＢＣＡやＮＢＣＡに記録されている一定周期の同期信号が含まれる記録信号を光ピックアップ装置を用いて光ディスクから読出し、この記録信号を再生回路で所定形式のデータに再生するようにしたものである。
【００１９】
しかも、再生回路は、記録媒体から読出した記録信号を所定形式のデータに復調する復調回路と、この復調回路で復調したデータに対してエラー訂正を施すエラー訂正回路とを有しており、このエラー訂正回路では、同期信号の検出結果に基づいてイレージャフラグを生成するとともに、このイレージャフラグを用いてイレージャ訂正を行うようにしている。
【００２０】
このように、本発明に係る光ディスク再生装置に内蔵した再生回路では、記録信号に一定周期で含まれる同期信号の検出結果に基づいてイレージャフラグを生成し、このイレージャフラグを用いてイレージャ訂正を行っているために、エラー訂正可能なデータの個数を増大することができ、記録媒体から記録信号を正確に再生することができる。
【００２１】
以下に、本発明に係る光ディスク再生装置に内蔵した再生回路の具体的な構成について図面を参照しながら説明する。なお、以下の説明では、ＤＶＤのＢＣＡに記録されたバーコードデータをＢＣＡデータに再生するために光ディスク再生装置に内蔵した再生回路について説明しているが、本発明はこれに限られることなく、再生回路とともに記録回路をも内蔵した光ディスク記録再生装置にも適用できる。
【００２２】
再生回路１は、光ピックアップ装置でＢＣＡに記録されたバーコードデータを円周方向に向けて走査することによって検出したパルス状のＲＺ信号S1をRZ−Channel bit復調回路２でチャンネルビット形式のＣＢデータS2に復調し、このＣＢデータS2から同期検出回路３を用いて所定周期の同期信号S3を検出し、この同期検出回路３で同期信号S3が検出されなかった場合にのみ保護回路４で所定周期の同期信号S3をＣＢデータS2に挿入することによって新たにＣＢデータS4を生成し、その後、このＣＢデータS4をChannel bit−Data bit復調回路５でデータビット形式のＤＢデータS5に復調し、このＤＢデータS5に含まれるエラー訂正符号を利用してエラー訂正回路６でＤＢデータS5にエラー訂正を施すことによってＢＣＡデータS6を生成している。
【００２３】
このエラー訂正回路６では、同期検出回路３での同期信号S3の検出結果を表す検出信号S7に基づいてイレージャフラグ生成回路７でイレージャフラグS8を生成するとともに、このイレージャフラグS8を用いてＤＢデータS5に対してイレージャ訂正を行うようにしている。
【００２４】
また、イレージャフラグ生成回路７では、以下に説明するようにしてイレージャフラグS8を生成している。
【００２５】
ＤＢデータS5は、図２に示すように、１byte（16bit）の同期信号S3と４byteのデータ信号S9とが複数行にわたって交互に連続するデータ形式となっており、同期信号S3は、図３に示すように、固定パターンと同期番号とから構成されており、一方、データ信号S9は、４byteの「００ｈ」からなるプリアンブル（Preamble）と16・ｎ−４byteのインフォメーション（Information）と４byteのEDC（Error Detection Code：誤り検出符号）と１６byteのECC（Error Correction Code：誤り訂正符号）と４byteの「５５ｈ」からなるポストアンブル（Postamble）とから構成されていて、インフォメーションに対して縦方向（たとえば、I0、I4、・・・、I16n-8、EDC0の方向）の向きに４byteのECC（たとえば、C0,0、C0,1、C0,2、C0,3）を用いてエラー訂正できるようになっている。
【００２６】
そして、イレージャフラグ生成回路７では、図４に示す処理をＤＢデータS5の全ての行に対して行う。
【００２７】
各行に対する処理について説明すると、イレージャフラグ生成回路７では、まず、同期検出回路３から送られる検出信号S7を読込む（Ｆ１）。
【００２８】
次に、検出信号S7によって同期検出回路３で同期信号S3の固定パターンが検出できたか否かを判断する（Ｆ２）。
【００２９】
同期検出回路３で同期信号S3の固定パターンが検出できなかった場合には、図５(b)に模式的に示すように、その行及びその行よりも１個前の行のデータに対してエラーフラグを付加する（Ｆ３）。
【００３０】
一方、同期検出回路３で同期信号S3の固定パターンが検出できた場合には、検出信号S7によって同期検出回路３で同期信号S3の固定パターンが一定の周期（ここでは、８０bit毎）からずれていたか否かを判断する（Ｆ４）。
【００３１】
同期信号S3の固定パターンが一定の周期からずれていた場合には、図５(c)に模式的に示すように、その行よりも１個前の行のデータに対してズレフラグを付加する（Ｆ５）。
【００３２】
一方、同期信号S3の固定パターンが一定の周期からずれていなかった場合には、図５(a)に模式的に示すように、エラーフラグもズレフラグも付加しない。
【００３３】
そして、イレージャフラグ生成回路７では、エラーフラグとズレフラグとを合成することによってイレージャフラグS8を生成し、（Ｆ６)、その後、そのイレージャフラグS8をエラー訂正回路６に出力する（Ｆ７）。
【００３４】
このように、エラー訂正回路６では、同期検出回路３でＣＢデータS2から同期信号S3の固定パターンが検出されない場合に、その同期信号S3の前後にイレージャフラグS8を生成し、また、同期検出回路３で検出した同期信号S3の固定パターンの周期が所定の周期からずれている場合に、その同期信号S3の前にイレージャフラグS8を生成し、このイレージャフラグS8を用いてイレージャ訂正を行うようにしている。
【００３５】
そのため、再生回路１では、エラー訂正回路６によってエラー訂正可能なデータの個数が増大し、ＢＣＡデータを正確に再生することができる。
【００３６】
特に、同期信号S3が検出されない場合や同期信号S3の周期がずれている場合にイレージャフラグS8を生成しているために、エラーが含まれている可能性の高い領域を集中的にエラー訂正回路６でエラー訂正することができ、ＢＣＡデータをより一層正確に再生することができる。
【図面の簡単な説明】
【００３７】
【図１】本発明に係る再生回路を示す回路図。
【図２】ＢＣＡデータの形式を示す説明図。
【図３】ＢＣＡデータの同期信号を示す説明図。
【図４】イレージャフラグの生成方法を示すフローチャート。
【図５】イレージャフラグの生成方法を示す模式図。
【図６】従来の再生回路を示す回路図。
【符号の説明】
【００３８】
１  再生回路
２  RZ−Channel bit復調回路
３  同期検出回路
４  保護回路
５  Channel bit−Data bit復調回路
６  エラー訂正回路
７  イレージャフラグ生成回路
S1  ＲＺ信号
S2  ＣＢデータ
S3  同期信号
S4  ＣＢデータ
S5  ＤＢデータ
S6  ＢＣＡデータ
S7  検出信号
S8  イレージャフラグ
【図１】
2005285181.tif 000003
【図２】
2005285181.tif 000004
【図３】
2005285181.tif 000005
【図４】
2005285181.tif 000006
【図５】
2005285181.tif 000007
【図６】
2005285181.tif 000008